(57)【要約】【課題】一端部に電力変換部に対する入力端子台と出力端子台とを並べて配置した電力変換基板と、向きを揃えて前記電力変換基板に重ねて設けられたフィルタ基板とを備え、前記電力変換部が発生する高周波ノイズの外部への漏出を低減する前記フィルタ基板での前記高周波ノイズの不本意な漏れを防ぐ。【解決手段】電力変換基板に設けた入力端子台と重なり合う位置に補助入力端子台を設けたフィルタ基板において、前記補助入力端子台から離反した位置に該フィルタ基板の出力端子部を設ける。そして前記電力変換基板と前記フィルタ基板との間に形成される空間部を介して前記フィルタ基板の前記出力端子部と前記電力変換基板の前記入力端子台との間を接続する電源線を配設する。【選択図】      図１
2016100996.tif 000002
【特許請求の範囲】
【請求項１】
一端部に並べて配置された入力端子台と出力端子台とを備え、前記入力端子台を介して入力された入力電力を所定の出力電力に変換して前記出力端子台から出力する電力変換部を搭載した電力変換基板と、
向きを揃えて前記電力変換基板に重ねて設けられて前記入力端子台を介して前記電力変換部に直列に接続され、前記電力変換部本体の動作に伴って発生する高周波ノイズの前記入力端子台を介する系統電源側への漏出を低減するノイズフィルタを搭載したフィルタ基板とを具備し、
前記フィルタ基板は、前記電力変換基板における前記入力端子台と重なり合う位置に設けられた補助入力端子台を備えると共に、該補助入力端子台から離反した位置に前記電力変換基板における前記入力端子台との接続部をなす出力端子部を備え、
前記電力変換基板と前記フィルタ基板との間に形成される空間部を介して前記フィルタ基板の前記出力端子部と前記電力変換基板の前記入力端子台との間を接続する電源線を配設したことを特徴とする電力変換装置。
【請求項２】
前記フィルタ基板は、該フィルタ基板の一端部に沿って前記補助入力端子台を設けると共に、前記フィルタ基板の他端部近傍に前記出力端子部を形成したものである請求項１に記載の電力変換装置。
【請求項３】
前記フィルタ基板は、前記補助入力端子台の近傍に、該補助入力端子台と前記ノイズフィルタとを接続する接続線間に介装された線間コンデンサを備えている請求項１に記載の電力変換装置。
【請求項４】
一端部に並べて配置された入力端子台と出力端子台とを備え、前記入力端子台を介して入力された入力電力を所定の出力電力に変換して前記出力端子台から出力する電力変換部を搭載した電力変換基板と、
向きを揃えて前記電力変換基板に重ねて設けられて前記出力端子台を介して前記電力変換部に直列に接続され、前記電力変換部本体の動作に伴って発生する高周波ノイズの前記出力端子台を介する負荷側への流出を低減するノイズフィルタを搭載したフィルタ基板とを具備し、
前記フィルタ基板は、前記電力変換基板における前記出力端子台と重なり合う位置に設けられた補助出力端子台を備えると共に、該補助出力端子台から離反した位置に前記電力変換基板における前記出力端子台との接続部をなす入力端子部を備え、
前記電力変換基板と前記フィルタ基板との間に形成される空間部を介して前記電力変換基板の前記出力端子台と前記フィルタ基板の前記入力端子部との間を接続する電源線を配設したことを特徴とする電力変換装置。
【請求項５】
前記フィルタ基板は、該フィルタ基板の一端部に沿って前記補助出力端子台を設けると共に、前記フィルタ基板の他端部近傍に前記入力端子部を形成したものである請求項４に記載の電力変換装置。
【請求項６】
前記フィルタ基板は、前記補助出力端子台の近傍に、該補助出力端子台と前記ノイズフィルタとを接続する接続線間に介装された線間コンデンサを備えている請求項４に記載の電力変換装置。
【請求項７】
請求項１または４に記載の電力変換装置において、
更に前記電力変換基板と前記フィルタ基板との間に、これらの基板に重ねて設けられた回路基板を備え、
前記電源線は、前記電力変換基板と前記回路基板との間に形成される空間部を介して配設されることを特徴とする電力変換装置。
【請求項８】
前記回路基板は、該回路基板の表裏面を通して前記電力変換基板と前記フィルタ基板とを接続する前記電源線を敷設する為の開口部を備えている請求項７に記載の電力変換装置。
【請求項９】
請求項１または４に記載の電力変換装置において、
更に前記電力変換基板と前記フィルタ基板との間に、これらの基板に重ねて設けられたシールド板を備え、
前記電源線は、前記電力変換基板と前記シールド板との間に形成される空間部を介して配設されることを特徴とする電力変換装置。
【請求項１０】
前記シールド板は、該シールド板の表裏面を通して前記電力変換基板と前記フィルタ基板とを接続する前記電源線を敷設する為の開口部を備えている請求項９に記載の電力変換装置。
【発明の詳細な説明】
【技術分野】
【０００１】
本発明は、電力変換部のスイッチング動作に伴って発生する高周波ノイズの外部への漏出を効果的に低減することのできる電力変換装置に関する。
【背景技術】
【０００２】
ＤＣ−ＤＣコンバータやＡＣ−ＡＣコンバータ、更にはＤＣ−ＡＣコンバータ等の電力変換装置１は、基本的には図５(ａ)〜(ｃ)に示すようにＭＯＳ-ＦＥＴやＩＧＢＴ等の半導体スイッチング素子を備えた電力変換部２と、前記半導体スイッチング素子のスイッチング動作を制御する制御部３を備えて構成される。また前記電力変換装置１は、前記電力変換部２のスイッチング動作に伴って発生する高周波ノイズの外部への漏出を低減する入力フィルタ４や出力フィルタ５を備える。ここで前記入力フィルタ４は前記電力変換部２から発せられた高周波ノイズの系統電源等が接続される入力端子台を介する系統電源側への漏出を軽減するノイズフィルタである。また前記出力フィルタ５は、所定の負荷が接続される出力端子台１２を介する前記高周波ノイズの前記負荷側への漏出を軽減するノイズフィルタである。このようなノイズフィルタは、例えば特許文献１に紹介されるようなコモンモードチョークからなる。
【０００３】
尚、前記電力変換装置１と負荷とを接続する電力ケーブルにシールドケーブルを用い、該電力ケーブルからの放射ノイズを抑制することで、図５(ｂ)に示すように前記出力フィルタ５を省略する場合がある。また日本国内においては、この種の分野において前記電力変換装置１から系統電源側に漏出する高周波ノイズについては格別に法規制の対象となっていないこともあり、例えば図５(ｃ)に示すように前記入力フィルタ４を省略する場合もある。これ故、前記電力変換装置１においては前記電力変換部２を搭載した電力変換基板とは別に、前記入力フィルタ４や前記出力フィルタ５を実装したフィルタ基板をオプション的に前記電力変換装置１に装備することが多い。
【先行技術文献】
【特許文献】
【０００４】
【特許文献１】特開２００１−２３１２６８号公報
【発明の概要】
【発明が解決しようとする課題】
【０００５】
ところで前記電力変換装置１を実現する場合、一般的には前記電力変換部２等のメンテナンス性や前記電力変換装置１に対する電源ケーブルの接続作業性、更には前記電力変換装置１の組み立て作業性を考慮してそのレイアウト設計が行われる。具体的には、例えば図６に示すように前記電力変換部２を搭載した電力変換基板１０における入力端子台１１と出力端子台１２を該電力変換基板１０の一端部に並べて設ける。前記入力端子台１１は前記電力変換部２に入力電力を供給する端子部であり、また前記出力端子台１２は、前記電力変換部２にて変換された電力を出力する端子部である。
【０００６】
また前記入力フィルタ４を実装した前記フィルタ基板２０における補助入力端子台２１については、図６に示すように前記電力変換基板１０に設けた前記入力端子台１１と位置を揃えて該フィルタ基板２０の一端部に設ける。この補助入力端子台２１は、前記入力端子台１１に代えて系統電源の電源ケーブルを接続し、該系統電源から供給される入力電力を前記入力フィルタ４に入力する為の端子部である。そして前記電力変換基板１０および前記フィルタ基板２０は、前記入力端子台１１および補助入力端子台２１の向きを揃えて所定の間隔を隔てて平行に積み重ねて箱型の筐体３０に実装される。
【０００７】
尚、ここでは前記電力変換部２の入力側に前記入力フィルタ４を設ける例について示すが、前記電力変換部２の出力側に前記出力フィルタ５を設ける場合にも同様に電力変換装置１が構築される。即ち、特に図示しないが前記出力フィルタ５を実装した前記フィルタ基板における補助出力端子台を、前記電力変換基板１０に設けた前記出力端子台１２と位置を揃えて該フィルタ基板の一端部に設ける。そして該フィルタ基板における前記補助出力端子台と前記電力変換基板１０における前記出力端子台１２の向きとを揃えて、前記電力変換基板１０と前記フィルタ基板とを所定の間隔を隔てて平行に積み重ねて箱型の筐体３０に実装する。この補助出力端子台は、前記出力端子台１２に代わって前記電力変換部２の出力電力を前記出力フィルタ５を介して負荷側に出力する為の端子部であり、図５において符号２２を付して示す。
【０００８】
ところで前記フィルタ基板２０における前記入力フィルタ４の出力電圧端子部と前記電力変換基板１０の前記入力端子台１１との接続は、専ら、例えば図７に示すように予め前記フィルタ基板２０における前記補助入力端子台２１の裏面側に、前記電力変換基板１０の前記入力端子台１１に向けて装着された導電板からなるブスバー２３を用いて行われる。このブスバー２３は、その基部を前記入力フィルタ４の出力電圧端子部に接続したものであり、その先端部を前記入力端子台１１に接続することで前記入力フィルタ４と前記電力変換部２との接続を行う。
【０００９】
しかしながら前記フィルタ基板２０と前記電力変換基板１０との接続構造においては、前記フィルタ基板２０上の前記補助入力端子台２１と前記入力フィルタ４とを接続する入力電源線２４と、前記ブスバー２３からなる出力電源線とが前記フィルタ基板２０において互いに接近して配置されることが否めない。すると前記入力電源線２４と前記ブスバー２３との間の容量結合や誘導結合によって前記電力変換部２から前記ブスバー２３に漏れ出る高周波ノイズが前記入力電源線２４に伝播し、前記補助入力端子台２１を介して系統電源側に漏れ出ることがある。即ち、前記電力変換部２の入力側に設けた前記入力フィルタ４の機能を十分に活かすことができない恐れがある。
【００１０】
本発明はこのような事情を考慮してなされたもので、その目的は、ノイズフィルタの機能を十分に発揮させて、電力変換部のスイッチング動作に伴って発生する高周波ノイズの外部への漏出を効果的に低減することのできる電力変換装置を提供することにある。
【課題を解決するための手段】
【００１１】
本発明に係る電力変換装置は、基本的には
一端部に並べて配置された入力端子台と出力端子台とを備え、前記入力端子台を介して入力された入力電力を所定の出力電力に変換して前記出力端子台から出力する電力変換部を搭載した電力変換基板と、
向きを揃えて前記電力変換基板に重ねて設けられて前記入力端子台を介して前記電力変換部に直列に接続され、前記電力変換部の動作に伴って発生する高周波ノイズの前記入力端子台を介する系統電源側への漏出を低減するノイズフィルタを搭載したフィルタ基板とを備えて構成される。
【００１２】
特に上述した目的を達成するべく本発明に係る電力変換装置は、前記フィルタ基板に、前記電力変換基板における前記入力端子台と重なり合う位置に補助入力端子台を設けると共に、該補助入力端子台から離反した位置に前記電力変換基板における前記入力端子台との接続部をなす出力端子部を設け、
前記電力変換基板と前記フィルタ基板との間に形成される空間部を介して前記フィルタ基板の前記出力端子部と前記電力変換基板の前記入力端子台との間を接続する電源線を配設したことを特徴としている。
【００１３】
好ましくは前記フィルタ基板は、該フィルタ基板の一端部に沿って前記補助入力端子台を設けると共に、該補助入力端子台から離れた前記フィルタ基板の他端部近傍に前記出力端子部を設けたものである。また前記フィルタ基板は、好ましくは前記補助入力端子台の近傍に、該補助入力端子台と前記ノイズフィルタとを接続する接続線間に介装された線間コンデンサを備えても良い。
【００１４】
また本発明に係る別の電力変換装置は、基本的には
一端部に並べて配置された入力端子台と出力端子台とを備え、前記入力端子台を介して入力された入力電力を所定の出力電力に変換して前記出力端子台から出力する電力変換部を搭載した電力変換基板と、
向きを揃えて前記電力変換基板に重ねて設けられて前記出力端子台を介して前記電力変換部に直列に接続され、前記電力変換部の動作に伴って発生する高周波ノイズの前記出力端子台を介する外部への流出を低減するノイズフィルタを搭載したフィルタ基板とを備えて構成される。
【００１５】
そして本発明に係る電力変換装置は、前記フィルタ基板に、前記電力変換基板における前記出力端子台と重なり合う位置に設けられた補助出力端子台を設けると共に、該補助出力端子台から離反した位置に前記電力変換基板における前記出力端子台との接続部をなす入力端子部を設け、
前記電力変換基板と前記フィルタ基板との間に形成される空間部を介して前記フィルタ基板の前記入力端子部と前記電力変換基板の前記出力端子台との間を接続する電源線を配設したことを特徴としている。
【００１６】
好ましくは前記フィルタ基板は、該フィルタ基板の一端部に沿って前記補助出力端子台を設けると共に、該補助出力端子台から離れた前記フィルタ基板の他端部近傍に前記入力端子部を形成したものである。また前記フィルタ基板は、好ましくは前記補助出力端子台の近傍に、該補助出力端子台と前記ノイズフィルタとを接続する接続線間に介装された線間コンデンサを備えても良い。
【００１７】
また上述した構成の電力変換装置において、更に前記電力変換基板と前記フィルタ基板との間に、これらの基板に重ねて設けられた回路基板を設け、この回路基板と前記電力変換基板との間に形成される空間部を介して前記電源線を配設するようにしても良い。この場合、前記回路基板に、前記電力変換基板と前記フィルタ基板とを接続する前記電源線を敷設する為の開口部を設けておくようにしても良い。
【００１８】
更に前述した構成の電力変換装置において、更に前記電力変換基板と前記フィルタ基板との間に、これらの基板に重ねて設けられたシールド板を設け、このシールド板と前記電力変換基板との間に形成される空間部を介して前記電源線を配設するようにしても良い。この場合においても前記シールド板に、前記電力変換基板と前記フィルタ基板とを接続する前記電源線を敷設する為の開口部を設けておくようにしても良い。
【００１９】
尚、前記電力変換基板と前記フィルタ基板との間に前記回路基板と前記シールド板とを順に重ねて設けることも勿論可能である。
【発明の効果】
【００２０】
本発明によれば向きを揃えて電力変換基板とフィルタ基板とを所定の間隔を隔てて平行に重ねて配置した構造の電力変換装置において、前記フィルタ基板における補助入力端子台と入力フィルタとを接続する入力電源線に対して該フィルタ基板と前記電力変換基板とを接続する出力電源線を離して敷設することができる。従って前記電力変換基板に設けられる入力端子台と前記フィルタ基板に設けられる前記補助入力端子台とが互いに重なり合う位置に設けられる場合であっても、前記フィルタ基板上の前記入力電源線と、該フィルタ基板と前記電力変換基板とを接続する出力電源線との間の容量結合や誘導結合を減らすことができる。この結果、前記電力変換部が発生した高周波ノイズの前記フィルタ基板を介する系統電源側への漏出を効果的に低減することができる。
【００２１】
また同様に出力フィルタを搭載したフィルタ基板における補助出力端子台と前記出力フィルタとを接続する出力電源線に対して該フィルタ基板と前記電力変換基板とを接続する入力電源線を離して敷設することができる。従って前記電力変換基板に設けられる出力端子台と前記フィルタ基板に設けられる前記補助出力端子台とが互いに重なり合う位置に設けられる場合であっても、前記フィルタ基板上の前記出力電源線と、該フィルタ基板と前記電力変換基板とを接続する入力電源線との間の容量結合や誘導結合を減らすことができる。この結果、前記電力変換部が発生した高周波ノイズの前記フィルタ基板を介する負荷側への漏出を効果的に低減することができる。
【００２２】
故に、本発明によれば簡易な構成でありながら、フィルタ基板に搭載された入力フィルタや出力フィルタの機能を十分に発揮させて前記電力変換部が発生する高周波ノイズの系統電源側または負荷側への漏出を効果的に低減することができる。
【図面の簡単な説明】
【００２３】
【図１】本発明の第１の実施形態に係る電力変換装置の要部概略構成を示す斜視図。
【図２】本発明の第２の実施形態に係る電力変換装置の要部概略構成を示す斜視図。
【図３】本発明の第３の実施形態に係る電力変換装置の要部概略構成を示す斜視図。
【図４】本発明の第４の実施形態に係る電力変換装置の要部概略構成を示す斜視図。
【図５】電力変換装置の一般的な構成例を示すブロック図。
【図６】従来の電力変換装置におけるフィルタ基板および電力変換基板の一般的なレイアウト構造を示す図。
【図７】図６に示す電力変換装置におけるフィルタ基板と電力変換基板との接続形態を示す図。
【発明を実施するための形態】
【００２４】
以下、図面を参照して本発明の実施形態に係る電力変換装置について説明する。
図１は本発明の第１の実施形態に係る電力変換装置１の要部概略構成を示す斜視図である。尚、図５〜図７に示した従来の一般的な構成の電力変換装置１と同一部分には同一符号を付して説明する。この第１の実施形態に係る電力変換装置１は、前記電力変換部２を搭載した電力変換基板１０と、前記電力変換部２の入力側に設けられる入力フィルタ４を搭載したフィルタ基板２０とを所定の距離を隔てて重ねて箱型の筐体３０に装着した構造を有する。尚、ここでは前記筐体３０と、該筐体３０に対する前記電力変換基板１０および前記フィルタ基板２０の取り付け構造については省略している。
【００２５】
矩形状の前記電力変換基板１０は、その一端部に沿って前記電力変換部２に対する入力端子台１１と出力端子台１２とを横並びに設けて構成される。ちなみに前記入力端子台１１は、系統電源側から供給されるＲ相,Ｓ相,Ｔ相からなる三相交流電力を入力するものである。また前記出力端子台１２は、Ｕ相，Ｖ相，Ｗ相からなる電圧変換された三相交流電力を負荷側に出力するものである。
【００２６】
また前記電力変換基板１０と同程度の大きさを有する矩形状の前記フィルタ基板２０は、その一端部に沿って補助入力端子台２１を設けて構成される。この補助入力端子台２１は、前記フィルタ基板２０を前記電力変換基板１０に重ねて前記筐体３０に装着したときに前記入力端子台１１と重なり合う位置に設けられる。ちなみに系統電源の電源線は、前記入力端子台１１に代えて前記補助入力端子台２１に接続される。これによって前記系統電源から供給される交流電力は、前記入力フィルタ４を介して前記電力変換部２に供給される。
【００２７】
ここで一端部に前記補助入力端子台２１を設けた前記フィルタ基板２０の他端部近傍には、該補助入力端子台２１から離して前記入力フィルタ４の出力端子部２５が設けられている。この出力端子部２５は、前記入力フィルタ４から出力される交流電力を前記電力変換部２に供給する為の出力電源線２６を接続したものである。そして前記出力電源線２６は、図１に示すように前記フィルタ基板２０と前記電力変換基板１０との間に形成される空間部を通して敷設され、前記電力変換基板１０における前記入力端子台１１に接続されるものとなっている。
【００２８】
即ち、この第１の実施形態に係る電力変換装置１においては、前記フィルタ基板２０と前記電力変換基板１０との間の空間部を介して前記出力電源線２６を敷設している。そして前記出力電源線２６を介して前記フィルタ基板２０の他端部近傍に設けた前記入力フィルタ４の出力端子部２５と前記電力変換基板１０における前記入力端子台１１との間を相互に接続した構成となっている。特に前記出力電源線２６は、前記フィルタ基板２０における前記補助入力端子台２１と前記入力フィルタ４とを接続する前記入力電源線２４の敷設位置から離れた領域を通して敷設されるようになっている。
【００２９】
かくしてこのように構成された電力変換装置１によれば、従来の前記ブスバー２３を用いて前記フィルタ基板２０と前記電力変換基板１０とを接続した装置とは異なり、前記出力電源線２６を前記入力電源線２４から容易に離すことができる。この結果、前記出力電源線２６と前記入力電源線２４との間の容量結合および誘導結合を大きく減らすことができ、前記出力電源線２６から前記入力電源線２４への高周波ノイズの回り込みを低減することができる。従って前記入力フィルタ４が有する機能を十分に活かして系統電源側への高周波ノイズの漏出を低減することが可能となる。
【００３０】
図２は本発明の第２の実施形態に係る電力変換装置１の要部概略構成図である。尚、図１に示した第１の実施形態に係る電力変換装置１と同一部分には同一符号を付し、その説明を省略する。
【００３１】
この第２の実施形態に係る電力変換装置１は、前述した電力変換基板１０およびフィルタ基板２０に加えて、例えば前記電力変換部２の一部を構成するコンデンサ等を搭載した回路基板４０を備えて構成される。この回路基板４０は、例えば図２に示すように前記電力変換基板１０と前記フィルタ基板２０との間に、これらの各基板１０,２０と平行に設けられる。
【００３２】
また前記フィルタ基板２０および前記回路基板４０の他端側隅部（コーナー部）には、該基板２０,４０の表裏面間を連通する開口部としての切り欠き２０ａ,４０ａが設けられている。これらの切り欠き（開口部）２０ａ,４０ａは、前記入力フィルタ４の出力端子部２５に一端側を接続した前記出力電源線２６は前記回路基板４０の下面側に導く為に用いられる。そして前記切り欠き（開口部）２０ａ,４０ａを順に通して前記回路基板４０の下面側に導かれた前記出力電源線２６は、前記回路基板４０と前記電力変換基板１０との間の空間部を介して敷設され、その先端部を前記電力変換基板１０における前記入力端子台１１に接続される。
【００３３】
このように構成された電力変換装置１によれば、前記回路基板４０と前記電力変換基板１０との間の空間部に前記出力電源線２６が敷設されるので、該出力電源線２６と前記入力電源線２４とを大きく離すことができる。従って前記出力電源線２６と前記入力電源線２４との間の容量結合および誘導結合を大きく減らし、前述した第１の実施形態に係る電力変換装置１以上に前記出力電源線２６から前記入力電源線２４への高周波ノイズの回り込みを低減することができる。
【００３４】
図３は本発明の第３の実施形態に係る電力変換装置１の要部概略構成図である。尚、図１および図２にそれぞれ示した第１および第２の実施形態に係る電力変換装置１と同一部分には同一符号を付し、その説明を省略する。
【００３５】
この第３の実施形態に係る電力変換装置１は、前述した電力変換基板１０、フィルタ基板２０および回路基板４０に加えて、更に前記各基板１０,２０,４０と略等しい大きさのシールド板５０を備えて構成される。このシールド板５０は、例えば図３に示すように前記回路基板４０と前記フィルタ基板２０との間に、これらの各基板４０,２０と平行に設けられる。
【００３６】
また前記フィルタ基板２０、前記回路基板４０および前記シールド板５０の各他端側隅部（コーナー部）近傍には、該基板２０,４０および前記シールド板５０の表裏面間を連通する開口部としての透孔２０ｂ,４０ｂ,５０ｂが設けられている。これらの透孔（開口部）２０ｂ,４０ｂ,５０ｂは、前記入力フィルタ４の出力端子部２５に一端側を接続した前記出力電源線２６は前記回路基板４０の下面側に導く為に用いられる。そして前記透孔（開口部）２０ｂ,４０ｂ,５０ｂを順に通して前記回路基板４０の下面側に導かれた前記出力電源線２６は、前記回路基板４０と前記電力変換基板１０との間の空間部を介して敷設され、その先端部を前記電力変換基板１０における前記入力端子台１１に接続される。
【００３７】
このように構成された電力変換装置１によれば、前記回路基板４０と前記電力変換基板１０との間の空間部に前記出力電源線２６が敷設されるので、該出力電源線２６と前記入力電源線２４とを大きく離すことができる。更には前記回路基板４０と前記フィルタ基板２０との間に前記シールド板５０を設けているので、これらの基板４０,２０間を効果的に電磁遮蔽することができる。この結果、前記出力電源線２６と前記入力電源線２４との間の容量結合および誘導結合を大きく減らし、前述した第２の実施形態に係る電力変換装置１以上に前記出力電源線２６から前記入力電源線２４への高周波ノイズの回り込みを低減することができる。
【００３８】
図４は本発明の第４の実施形態に係る電力変換装置１の要部概略構成図である。尚、図１に示した第１の実施形態に係る電力変換装置１と同一部分には同一符号を付し、その説明を省略する。この実施形態に係る電力変換装置１は、前記入力フィルタ４の出力端子部２５を前記フィルタ基板２０の側辺部に設けると共に、前記補助入力端子台２１の近傍位置に前記入力電源線２４に線間コンデンサ６０を設けて構成される。ちなみに前記出力端子部２５が設けられる前記フィルタ基板２０の側辺部は、前記フィルタ基板２０における一端部の隅部に設けた前記補助入力端子台２１から離れた側の部位である。
【００３９】
このように構成された電力変換装置１によれば、前述した第１の実施形態に較べて前記補助入力端子台２１と前記入力フィルタ４の出力端子部２５との離反距離が短くなるが、先の各実施形態と同様に前記入力電源線２４と前記入力フィルタ４の裏面側に敷設される前記出力電源線２６とを離すことができる。従って前記出力電源線２６と前記入力電源線２４との容量結合および誘導結合を減らし、前記出力電源線２６から前記入力電源線２４ヘの高周波ノイズの回り込みを減らすことができる。しかも前記補助入力端子台２１の近傍位置に線間コンデンサ６０が設けられているので、前記入力電源線２４に回り込んだ高周波ノイズの前記補助入力端子台２１を介する漏出を効果的に防ぐことができる。従ってこの実施形態においても前記入力フィルタ４の機能を十分に活かして、前記電力変換部２が発生した高周波ノイズの系統電源側への漏出を確実に低減することが可能となる。
【００４０】
尚、本発明は上述した各実施形態に限定されるものではない。ここでは前記電力変換基板１０の入力側に入力フィルタ４を搭載したフィルタ基板２０を設けて系統電源側への高周波ノイズの漏出を低減する構成の電力変換装置１について説明した。しかし前記電力変換基板１０の出力側に前記出力フィルタ５を搭載したフィルタ基板を設けて負荷側への高周波ノイズの漏出を低減する構成の電力変換装置１についても本発明を同様に適用することができる。この場合、前述した各実施形態における前記電力変換基板１０の入力端子台１１を出力端子台１２と読み替えると共に、前記フィルタ基板２０の補助入力端子台２１を補助出力端子台２２と読み替える。更に前記入力フィルタ４の出力端子部２５を出力フィルタ５の入力端子部と読み替えれば良い。
【００４１】
また実施形態においては、前記電力変換基板１０と前記フィルタ基板２０との間に設けられる回路基板４０を１枚として説明したが、複数枚の回路基板４０を設ける場合もあることは言うまでもない。更には前記電力変換部２に対して前記入力フィルタ４と前記出力フィルタ５の双方を設けた電力変換装置にも本発明を同様に適用可能である。その他、本発明はその要旨を逸脱しない範囲で種々変形して実施することができる。
【符号の説明】
【００４２】
１  電力変換装置
２  電力変換部
３  制御部
４  入力フィルタ
５  出力フィルタ
１０  電力変換基板
１１  入力端子台
１２  出力端子台
２０  フィルタ基板
２１  補助入力端子台
２２  補助出力端子台
２３  ブスバー（出力電源線）
２４  入力電源線
２５  出力端子部
２６  出力電源線
２０ａ,４０ａ  切り欠き（開口部）
２０ｂ,４０ｂ,５０ｂ  透孔（開口部）
３０  筐体
４０  回路基板
５０  シールド板
６０  線間コンデンサ
【図１】
2016100996.tif 000003
【図２】
2016100996.tif 000004
【図３】
2016100996.tif 000005
【図４】
2016100996.tif 000006
【図５】
2016100996.tif 000007
【図６】
2016100996.tif 000008
【図７】
2016100996.tif 000009